【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
コンテンツのユーザ記憶に影響するようにユーザのタスク／計画ベースのコンテンツ表現を促進するためのシステムであって、前記システムは、
第１コンテンツ部分の表現の最中に、前記ユーザのタスクまたは計画に関してユーザの同情的で自律的な活動を示す同情的で自律的な活動を検出するように構成された１つまたはそれ以上のセンサと、
１つまたはそれ以上のプロセッサであり、マシンで読取り可能なインストラクションによって、
前記ユーザに対して表示されるべきコンテンツを受け取り、
前記コンテンツは前記第１コンテンツ部分を含み、
前記ユーザの前記タスクまたは計画に関して前記第１コンテンツ部分の重要性を示す第１重要性インジケータを獲得し、
前記ユーザに関するユーザデータに基づいて、表現スタイルの境界条件を獲得し、
前記表現スタイルの境界条件は、１つの表現スタイルセットを示し、前記ユーザに対して前記コンテンツを表示するために１つまたはそれ以上の表現スタイルがそこから選択され、
前記表現スタイルセットは、（ｉ）第１困難性レベルに伴う第１表現スタイルと、（ｉｉ）第２困難性レベルに伴う第２表現スタイルとを含み、
前記第２困難性レベルは、前記コンテンツを読み取るために、前記ユーザから前記第１困難性レベルよりも少ない努力を必要とすることを示しており、
前記第１重要性インジケータに基づいて、前記表現スタイルセットから、前記ユーザに対して前記第１コンテンツ部分を表示するために少なくとも前記第２表現スタイルに重ねて使用される前記第１表現スタイルを選択し、
前記第１コンテンツ部分をディスプレイ上に表示するために前記第１表現スタイルが使用されるように、前記選択された第１表現スタイルに基づいて前記コンテンツの表現を、ディスプレイによって、生じさせ、
前記第１コンテンツ部分の前記表現の最中に、前記同情的で自律的な活動データに基づいて、前記ユーザの同情的で自律的な活動がベースラインの同情的で自律的な活動レベルに対応するか否かを判断し、かつ、
前記ユーザの同情的で自律的な活動が前記ベースラインの同情的で自律的な活動レベルに対応するとの判断に基づいて、前記第１表現スタイルよりも読み取るのが容易な表現スタイルが前記ディスプレイ上に前記第１コンテンツ部分を表示するために使用されるように、前記ディスプレイによって、前記第１コンテンツ部分の前記表現を調整する、
ように構成された、１つまたはそれ以上のプロセッサと、
を含む、システム。
【請求項２】
前記１つまたはそれ以上のプロセッサは、さらに、
前記ユーザについてテストを実施することにより、及び／又は、前記ディスプレイ上に表示されたテキストを読み出している間の前記ユーザの凝視及び／又はスクロールを分析することにより、前記ユーザの年齢、視力、及び/又は、前記ユーザの眼の問題についての情報を含む前記ユーザのプロフィールを分析することによって、前記表現スタイルの境界条件を獲得する、
ように構成されている、請求項１に記載のシステム。
【請求項３】
前記１つまたはそれ以上のプロセッサは、さらに、
前記ユーザによって応じられるべき既定の計画を受け取るように構成されており、前記既定の計画は、前記ユーザに対して表示されるべき情報を含んでおり、かつ、
前記受け取った計画から前記ユーザに対して表示されるべき情報を抽出するように構成されている、
請求項１に記載のシステム。
【請求項４】
前記１つまたはそれ以上のプロセッサは、さらに、
入力として前記第１重要性インジケータを受け取り、かつ／あるいは、前記第１重要性インジケータを獲得するために、前記受け取ったコンテンツ及び／又は前記受け取ったコンテンツのコンテクストを分析する、
ように構成されている、請求項１に記載のシステム。
【請求項５】
前記１つまたはそれ以上のプロセッサは、さらに、
１つまたはそれ以上の他のセンサによって、前記ユーザの位置及び／又は移動状態を示すユーザに関する位置データ及び／又は移動データを受け取り、かつ、
前記第１重要性インジケータと、前記受け取ったユーザに関する位置データ及び／又は移動データに基づいて、前記第１表現スタイルを選択する、
ように構成されている、請求項１に記載のシステム。
【請求項６】
前記１つまたはそれ以上のプロセッサは、さらに、
前記ユーザのスケジュールを示すユーザに関するスケジュールデータを受け取り、かつ、
前記ユーザのスケジュールに従って、前記ユーザにとって便利な時間に、前記受け取ったコンテンツを視覚的に表示するように前記ディスプレイをコントロールする、
ように構成されている、請求項１に記載のシステム。
【請求項７】
前記同情的で自律的な活動データは、皮膚コンダクタンスまたは血圧測定データを含む、
請求項１に記載のシステム。
【請求項８】
前記１つまたはそれ以上のプロセッサは、さらに、
前記コンテンツのタイプ、前記コンテンツの前記重要性、および、前記コンテンツの以前の表示の数量に基づいて、前記受け取ったコンテンツを分類し、かつ、
前記第１重要性インジケータおよび前記受け取ったデータの分類に基づいて、前記第１表現スタイルを選択する、
ように構成されている、請求項１に記載のシステム。
【請求項９】
前記１つまたはそれ以上のプロセッサは、さらに、
前記ユーザのヘルスリテラシーレベル、心理学的プロフィール、表現スタイルに対するプリファレンス、及び／又は、教育レベルを受け取り、かつ、
前記第１重要性インジケータ、および、前記受け取ったヘルスリテラシーレベル、心理学的プロフィール、表現スタイルに対するプリファレンス、及び／又は、教育レベルに基づいて、前記第１表現スタイルおよび前記コンテンツの言葉使いを選択する、
ように構成されている、請求項１に記載のシステム。
【請求項１０】
前記１つまたはそれ以上のプロセッサは、さらに、
前記第１表現スタイルの１つまたはそれ以上のオプションを選択するように構成されており、
前記１つまたはそれ以上のオプションは、フォント、フォントスタイル、フォントサイズ、フォント色、下線スタイル、テキスト効果、及び／又は、文字間隔を含む、
請求項１に記載のシステム。
【請求項１１】
コンテンツのユーザ記憶に影響するようにユーザのタスク／計画ベースのコンテンツ表現を促進するための方法であって、前記方法は、
１つまたはそれ以上のプロセッサによって、ユーザに対して表示されるべきデータを受け取るステップであり、前記コンテンツは第１コンテンツ部分を含む、ステップと、
１つまたはそれ以上のプロセッサによって、前記ユーザのタスクまたは計画に関して前記第１コンテンツ部分の重要性を示す第１重要性インジケータを獲得するステップと、
１つまたはそれ以上のプロセッサによって、前記ユーザに関するユーザデータに基づいて、表現スタイルの境界条件を獲得するステップであり、
前記表現スタイルの境界条件は、１つの表現スタイルセットを示し、前記ユーザに対して前記コンテンツを表示するために１つまたはそれ以上の表現スタイルがそこから選択され、
前記表現スタイルセットは、（ｉ）第１困難性レベルに伴う第１表現スタイルと、（ｉｉ）第２困難性レベルに伴う第２表現スタイルとを含み、
前記第２困難性レベルは、前記コンテンツを読み取るために、前記ユーザから前記第１困難性レベルよりも少ない努力を必要とすることを示している、
ステップと、
１つまたはそれ以上のプロセッサによって、前記第１重要性インジケータに基づいて、前記表現スタイルセットから、前記ユーザに対して前記第１コンテンツ部分を表示するために少なくとも前記第２表現スタイルに重ねて使用される前記第１表現スタイルを選択する、ステップと、
ディスプレイによって、前記第１コンテンツ部分をディスプレイ上に表示するために前記第１表現スタイルが使用されるように、前記選択された第１表現スタイルに基づいて前記コンテンツの表現を生じさせるステップと、
１つまたはそれ以上のセンサによって、前記第１コンテンツ部分の表現の最中に、前記ユーザの前記タスクまたは計画に関して前記ユーザの同情的で自律的な活動を示す同情的で自律的な活動を検出するステップと、
前記第１コンテンツ部分の前記表現の最中に、前記同情的で自律的な活動データに基づいて、前記ユーザの同情的で自律的な活動がベースラインの同情的で自律的な活動レベルに対応するか否かを判断するステップと、
前記ディスプレイによって、前記ユーザの同情的で自律的な活動が前記ベースラインの同情的で自律的な活動レベルに対応するとの判断に基づいて、前記第１表現スタイルよりも読み取るのが容易な表現スタイルが前記ディスプレイ上に前記第１コンテンツ部分を表示するために使用されるように、前記第１コンテンツ部分の前記表現を調整するステップと、
を含む、方法。
【請求項１２】
前記コンテンツは、前記第１コンテンツ部分と第２コンテンツ部分とを含み、
前記方法は、さらに、
１つまたはそれ以上のプロセッサによって、前記ユーザの前記タスクまたは計画に関して前記第２コンテンツ部分の重要性を示す第２重要性インジケータを獲得するステップと、
１つまたはそれ以上のプロセッサによって、前記第２重要性インジケータに基づいて、前記表現スタイルセットから、前記ユーザに対して前記第２コンテンツ部分を表示するために少なくとも前記第１表現スタイルに重ねて使用される前記第２表現スタイルを選択する、ステップと、
を含み、
前記コンテンツの表現を生じさせるステップは、
前記ディスプレイによって、（ｉ）前記第１コンテンツ部分を前記ディスプレイ上に表示するために前記第１表現スタイルが使用されるように、かつ、（ｉｉ）前記第２コンテンツ部分を前記ディスプレイ上に表示するために前記第２表現スタイルが使用されるように、前記選択された第１表現スタイルおよび前記選択された第２表現スタイルに基づいて前記コンテンツの表現を生じさせるステップ、
を含む、
請求項１１に記載の方法。
【請求項１３】
コンテンツのユーザ記憶に影響するようにユーザのタスク／計画ベースのコンテンツ表現を促進するためのシステムであって、前記システムは、
第１コンテンツ部分の表現の最中に、前記ユーザのタスクまたは計画に関してユーザの同情的で自律的な活動を示す同情的で自律的な活動を検出するように構成された１つまたはそれ以上のセンサと、
１つまたはそれ以上のプロセッサであり、マシンで読取り可能なインストラクションによって、
前記ユーザに対して表示されるべきコンテンツを受け取り、
前記コンテンツは前記第１コンテンツ部分と第２コンテンツ部分とを含み、
前記ユーザの前記タスクまたは計画に関して前記コンテンツの部分それぞれの重要性を示す重要性インジケータを獲得し、
前記重要性インジケータは、（ｉ）前記タスクまたは計画に関して前記第１コンテンツ部分の重要性を示す第１重要性インジケータと、（ｉｉ）前記タスクまたは計画に関して前記第２コンテンツ部分の重要性を示す第２重要性インジケータと、を含み、
前記第１重要性インジケータは、前記タスクまたは計画に関して前記第２重要性インジケータよりも大きい重要性を示しており、
前記ユーザに関するユーザデータに基づいて、表現スタイルの境界条件を獲得し、
前記表現スタイルの境界条件は、１つの表現スタイルセットを示し、前記ユーザに対して前記コンテンツを表示するために１つまたはそれ以上の表現スタイルがそこから選択され、
前記表現スタイルセットは、（ｉ）第１困難性レベルに伴う第１表現スタイルと、（ｉｉ）第２困難性レベルに伴う第２表現スタイルとを含み、
前記第２困難性レベルは、前記ユーザから前記第１困難性レベルよりも少ない努力を必要とすることを示しており、
前記重要性インジケータに基づいて、前記表現スタイルセットから、前記ユーザに対して前記コンテンツを表示するために使用される表現スタイルを選択し、
前記第１表現スタイルは、前記第１重要性インジケータに基づいて、前記第１コンテンツ部分を表示するために選択されており、かつ、
前記第２表現スタイルは、前記第２重要性インジケータに基づいて、前記ユーザに対して前記第２コンテンツ部分を表示するために選択されており、
ディスプレイによって、（ｉ）前記第１コンテンツ部分を前記ディスプレイ上に表示するために前記第１表現スタイルが使用され、かつ、（ｉｉ）前記第２コンテンツ部分を前記ディスプレイ上に表示するために前記第２表現スタイルが使用されるように、前記選択された表現スタイルに基づいて前記コンテンツの表現を生じさせ、
前記第１コンテンツ部分の前記表現の最中に、前記同情的で自律的な活動データに基づいて、前記ユーザの同情的で自律的な活動がベースラインの同情的で自律的な活動レベルに対応するか否かを判断し、かつ、
前記ユーザの同情的で自律的な活動が前記ベースラインの同情的で自律的な活動レベルに対応するとの判断に基づいて、前記第１表現スタイルよりも読み取るのが容易な表現スタイルが前記ディスプレイ上に前記第１コンテンツ部分を表示するために使用されるように、前記ディスプレイによって、前記第１コンテンツ部分の前記表現を調整する、
ように構成された、１つまたはそれ以上のプロセッサと、
を含む、システム。